(57)【要約】      （修正有）【課題】変換プラグを有する方向転換式ＡＣアダプタを提供する。【解決手段】環状収容空間１１と４つの摺動溝１２とを有する本体１０と、内部に２つの中間導電端子２２が設置されると共に、上面に少なくとも２つのピン３１が設置され、更に前記環状収容空間に設置される中空のプラグＰとを備え、プラグにおける各ピンの端は夫々中間導電端子に電気的に接続され、プラグにおける円柱部には４つの弧状穴が穿通され、円柱部の円柱面に４つの係合突起が突設され、本体における２つの導電端子１４は、円柱部における４つの弧状穴の内の２つに挿通されると共に、夫々前記中間導電端子に接続される。【選択図】図２
0003157620.tif 000002
【実用新案登録請求の範囲】
【請求項１】
上面から凹設されると共に、２つの導電端子（１４）が設置される環状収容空間（１１）と、該環状収容空間（１１）と連通するように上面に凹設されると共に、側壁の下部に係合凹溝（１３）が凹設される、環状収容空間（１１）の周縁に位置する４つの摺動溝（１２）とを有する本体（１０）と、
内部に２つの中間導電端子が設置されると共に、上面に少なくとも２つのピン（３１）が設置され、下面に前記環状収容空間（１１）に設置される円柱部（２１）が突設される中空のプラグ（Ｐ）とを備え、
前記プラグ（Ｐ）における各ピン（３１）の一端は、プラグ（Ｐ）の内部に位置し、その内の２つのピン（３１）の端は夫々、中間導電端子に電気接続され、
前記プラグ（Ｐ）における円柱部（２１）に、プラグ（Ｐ）の内部と連通すると共に、環状に配置される４つの弧状穴（２１２）が穿通され、更に円柱部（２１）の円柱面に前記本体（１０）における摺動溝（１２）及び係合凹溝（１３）と対応する４つの係合突起（２１３）が突設され、
前記本体（１０）における２つの導電端子（１４）は、円柱部（２１）における４つの弧状穴（２１２）の内の２つに挿通されると共に、夫々前記中間導電端子に接続されることを特徴とする変換プラグを有する方向転換式ＡＣアダプタ。
【請求項２】
前記プラグ（Ｐ）は、上面に上部容室（２０１）が凹設されると共に、下面に前記円柱部（２１）が突設されるハウジング（２０）と、該ハウジング（２０）に覆設されるカバー（３０）とを有し、
前記ハウジング（２０）における円柱部（２１）に、上部容室（２０１）と連通する下部容室（２１１）が形成されると共に、該下部容室（２１１）の底面に前記弧状穴（２１２）が穿設され、
前記２つの中間導電端子は、前記ハウジング（２０）における上部容室（２０１）に設置され、該各中間導電端子に、下部容室（２１１）に位置する２つの接触プレートが延設されると共に、それらの接触プレートは夫々、弧状穴（２１２）の一端の上方に位置し、
前記カバー（３０）に前記ピン（３１）が設けられることを特徴とする請求項１に記載の変換プラグを有する方向転換式ＡＣアダプタ。
【請求項３】
前記ハウジング（２０）における下部容室（２１１）の底面から４つの受板（２１１１）が突設され、それらの受板（２１１１）はそれぞれ、前記弧状穴（２１２）の一端に隣接し、且つ該弧状穴（２１２）の上方に位置する接触プレートに隣接することを特徴とする請求項２に記載の変換プラグを有する方向転換式ＡＣアダプタ。
【請求項４】
前記ハウジング（２０）に設置される各中間導電端子には夫々、下部通孔（２２１１）が形成される耳部（２２１）を有し、
前記カバー（３０）における、中間導電端子と電気接続される２つのピン（３１）の上部容室（２０１）側の一端に上部通孔（３１１）が形成されると共に、該上部通孔（３１１）と下部通孔（２２１１）との間に導電部材が設置されることを特徴とする請求項３に記載の変換プラグを有する方向転換式ＡＣアダプタ。
【請求項５】
前記プラグ（Ｐ）は、上面に上部容室（２０１）が凹設されると共に、下面に前記円柱部（２１）が突設されるハウジング（２０）と、前記ハウジング（２０）に覆設されるカバー（３０）とを有し、
前記ハウジング（２０）における円柱部（２１）に、上部容室（２０１）と連通する下部容室（２１１）が形成されると共に、該下部容室（２１１）の底面に前記弧状穴（２１２）が穿設され、
前記２つの中間導電端子は、前記ハウジング（２０）における上部容室（２０１）に設置され、該各中間導電端子に、下部容室（２１１）に位置すると共に、隣接する２つの弧状穴（２１２）と重なる接触プレートが延設され、
前記カバー（３０）に前記ピン（３１）が設けられることを特徴とする請求項１に記載の変換プラグを有する方向転換式ＡＣアダプタ。
【請求項６】
前記ハウジング（２０）に設置される各中間導電端子における、接触プレートと連結する位置に少なくとも１つの弾性部（２２３Ａ）が設けられることを特徴とする請求項５に記載の変換プラグを有する方向転換式ＡＣアダプタ。
【請求項７】
前記ハウジング（２０）に設置される各中間導電端子は夫々、下部通孔（２２１１）が形成される耳部（２２１）を有し、
前記カバー（３０）における、中間導電端子と電気接続される２つのピン（３１）の上部容室（２０１）側の一端に上部通孔（３１１）が形成されると共に、該上部通孔（３１１）と下部通孔（２２１１）との間に導電部材が設置されることを特徴とする請求項６に記載の変換プラグを有する方向転換式ＡＣアダプタ。
【請求項８】
前記ハウジング（２０）における下部容室（２１１）の底面に前記２つの接触プレートの間に位置する隔離板（２１１２）が突設されることを特徴とする請求項７に記載の変換プラグを有する方向転換式ＡＣアダプタ。
【請求項９】
前記本体（１０）に、自由端が環状収容空間（１１）内に位置する解除プレート（１５）が形成され、該自由端に上面が環状収容空間（１１）の底面より高度に位置する係合ブロック（１５１）が突設され、
前記円柱部（２１）の円柱面に、前記解除プレート（１５）における係合ブロック（１５１）と係合可能な４つの係合溝（２１４）が円柱部（２１）の底面と連通するように凹設されることを特徴とする請求項１乃至８の何れか一項に記載の変換プラグを有する方向転換式ＡＣアダプタ。
【考案の詳細な説明】
【技術分野】
【０００１】
本考案は、特に変換プラグを有する方向転換式ＡＣアダプタに関するものである。
【背景技術】
【０００２】
電気製品は通常、ＡＣアダプタを具備する。該ＡＣアダプタは、本体を有し、該本体に変換回路が内蔵されると共に、電気を供給するコンセントと接続するためのプラグが設けられる。
【考案の概要】
【考案が解決しようとする課題】
【０００３】
しかしながら、プラグの規格は数十種類にものぼり、国によって採用する規格が異なることから、本体に設けられた固設式のプラグを用いる従来のＡＣアダプタを、規格の異なるコンセントに接続することはできなかった。
また、従来のＡＣアダプタにおける本体は、内部に変換回路が設けられていることから、体積が大きくなるので、使用時にコンセントにおける他の差し込み口を塞いでしまい、他のプラグの接続を邪魔してしまうといった問題があった。
【０００４】
そこで、考案されたのが本考案であって、変換プラグを有する方向転換式ＡＣアダプタを提供することを目的としている。
【課題を解決するための手段】
【０００５】
本願の請求項１の考案は、上面から凹設されると共に、２つの導電端子（１４）が設置される環状収容空間（１１）と、該環状収容空間（１１）と連通するように上面に凹設されると共に、側壁の下部に係合凹溝（１３）が凹設される、環状収容空間（１１）の周縁に位置する４つの摺動溝（１２）とを有する本体（１０）と、
内部に２つの中間導電端子が設置されると共に、上面に少なくとも２つのピン（３１）が設置され、下面に前記環状収容空間（１１）に設置される円柱部（２１）が突設される中空のプラグ（Ｐ）とを備え、
前記プラグ（Ｐ）における各ピン（３１）の一端は、プラグ（Ｐ）の内部に位置し、その内の２つのピン（３１）の端は夫々、中間導電端子に電気接続され、
前記プラグ（Ｐ）における円柱部（２１）に、プラグ（Ｐ）の内部と連通すると共に、環状に配置される４つの弧状穴（２１２）が穿通され、更に円柱部（２１）の円柱面に前記本体（１０）における摺動溝（１２）及び係合凹溝（１３）と対応する４つの係合突起（２１３）が突設され、
前記本体（１０）における２つの導電端子（１４）は、円柱部（２１）における４つの弧状穴（２１２）の内の２つに挿通されると共に、夫々前記中間導電端子に接続されることを特徴とする変換プラグを有する方向転換式ＡＣアダプタ、を提供する。
【０００６】
本願の請求項２の考案は、前記プラグ（Ｐ）は、上面に上部容室（２０１）が凹設されると共に、下面に前記円柱部（２１）が突設されるハウジング（２０）と、該ハウジング（２０）に覆設されるカバー（３０）とを有し、
前記ハウジング（２０）における円柱部（２１）に、上部容室（２０１）と連通する下部容室（２１１）が形成されると共に、該下部容室（２１１）の底面に前記弧状穴（２１２）が穿設され、
前記２つの中間導電端子は、前記ハウジング（２０）における上部容室（２０１）に設置され、該各中間導電端子に、下部容室（２１１）に位置する２つの接触プレートが延設されると共に、それらの接触プレートは夫々、弧状穴（２１２）の一端の上方に位置し、
前記カバー（３０）に前記ピン（３１）が設けられることを特徴とする請求項１に記載の変換プラグを有する方向転換式ＡＣアダプタ、を提供する。
【０００７】
本願の請求項３の考案は、前記ハウジング（２０）における下部容室（２１１）の底面から４つの受板（２１１１）が突設され、それらの受板（２１１１）はそれぞれ、前記弧状穴（２１２）の一端に隣接し、且つ該弧状穴（２１２）の上方に位置する接触プレートに隣接することを特徴とする請求項２に記載の変換プラグを有する方向転換式ＡＣアダプタ、を提供する。
【０００８】
本願の請求項４の考案は、前記ハウジング（２０）に設置される各中間導電端子には夫々、下部通孔（２２１１）が形成される耳部（２２１）を有し、
前記カバー（３０）における、中間導電端子と電気接続される２つのピン（３１）の上部容室（２０１）側の一端に上部通孔（３１１）が形成されると共に、該上部通孔（３１１）と下部通孔（２２１１）との間に導電部材が設置されることを特徴とする請求項３に記載の変換プラグを有する方向転換式ＡＣアダプタ、を提供する。
【０００９】
本願の請求項５の考案は、前記プラグ（Ｐ）は、上面に上部容室（２０１）が凹設されると共に、下面に前記円柱部（２１）が突設されるハウジング（２０）と、前記ハウジング（２０）に覆設されるカバー（３０）とを有し、
前記ハウジング（２０）における円柱部（２１）に、上部容室（２０１）と連通する下部容室（２１１）が形成されると共に、該下部容室（２１１）の底面に前記弧状穴（２１２）が穿設され、
前記２つの中間導電端子は、前記ハウジング（２０）における上部容室（２０１）に設置され、該各中間導電端子に、下部容室（２１１）に位置すると共に、隣接する２つの弧状穴（２１２）と重なる接触プレートが延設され、
前記カバー（３０）に前記ピン（３１）が設けられることを特徴とする請求項１に記載の変換プラグを有する方向転換式ＡＣアダプタ、を提供する。
【００１０】
本願の請求項６の考案は、前記ハウジング（２０）に設置される各中間導電端子における、接触プレートと連結する位置に少なくとも１つの弾性部（２２３Ａ）が設けられることを特徴とする請求項５に記載の変換プラグを有する方向転換式ＡＣアダプタ、を提供する。
【００１１】
本願の請求項７の考案は、前記ハウジング（２０）に設置される各中間導電端子は夫々、下部通孔（２２１１）が形成される耳部（２２１）を有し、
前記カバー（３０）における、中間導電端子と電気接続される２つのピン（３１）の上部容室（２０１）側の一端に上部通孔（３１１）が形成されると共に、該上部通孔（３１１）と下部通孔（２２１１）との間に導電部材が設置されることを特徴とする請求項６に記載の変換プラグを有する方向転換式ＡＣアダプタ、を提供する。
【００１２】
本願の請求項８の考案は、前記ハウジング（２０）における下部容室（２１１）の底面に前記２つの接触プレートの間に位置する隔離板（２１１２）が突設されることを特徴とする請求項７に記載の変換プラグを有する方向転換式ＡＣアダプタ、を提供する。
【００１３】
本願の請求項９の考案は、前記本体（１０）に、自由端が環状収容空間（１１）内に位置する解除プレート（１５）が形成され、該自由端に上面が環状収容空間（１１）の底面より高度に位置する係合ブロック（１５１）が突設され、
前記円柱部（２１）の円柱面に、前記解除プレート（１５）における係合ブロック（１５１）と係合可能な４つの係合溝（２１４）が円柱部（２１）の底面と連通するように凹設されることを特徴とする請求項１乃至８の何れか一項に記載の変換プラグを有する方向転換式ＡＣアダプタ、を提供する。
【考案の効果】
【００１４】
本考案は上記の課題を解決するものであり、プラグが単一部品に形成され、本体に装着する時には、先ず各係合突起が対応する摺動溝に入り込み、且つ導電端子が本体の底部における対向する２つの弧状穴に挿通されるように、プラグにおける円柱体を本体における環状収容空間内に設置させ、次に係合突起を係合凹溝に係合させてから導電端子が弧状穴の一端に位置する接触プレートに当接されるようにプラグを回転させればよい。
これにより、プラグは本体に固着されると共に、プラグにおけるピンが中間導電端子を介して導電端子に電気接続される。
また、プラグを取り外す時は、単にプラグを逆方向に回転させるだけでよく、これにより他の規格のプラグと交換することができる。
更に、プラグを本体に取り付ける時は、係合突起を異なる摺動溝に嵌めこめば、ピンの本体に対する位置も変更されるので、使用時に本体を他のプラグの邪魔とならないように位置を変更させることができる。
【図面の簡単な説明】
【００１５】
【図１】本考案に係る変換プラグを有する方向転換式ＡＣアダプタの第１実施例を示す斜視図である。
【図２】本考案に係る変換プラグを有する方向転換式ＡＣアダプタの第１実施例を示す分解斜視図である。
【図３】本考案に係る変換プラグを有する方向転換式ＡＣアダプタの第１実施例におけるハウジングの下面視斜視図である。
【図４】本考案に係る変換プラグを有する方向転換式ＡＣアダプタの第１実施例におけるハウジングの平面図である。
【図５】本考案に係る変換プラグを有する方向転換式ＡＣアダプタにおけるカバーの更なる実施例を示す斜視図である。
【図６】本考案に係る変換プラグを有する方向転換式ＡＣアダプタにおいて、ハウジングを本体に装着する際の動作図である。
【図７】本考案に係る変換プラグを有する方向転換式ＡＣアダプタにおいて、ハウジングを本体に装着する際の動作図である。
【図８】本考案に係る変換プラグを有する方向転換式ＡＣアダプタにおいて、プラグが本体に装着された状態の断面図である。
【図９】本考案に係る変換プラグを有する方向転換式ＡＣアダプタの第２実施例におけるハウジングの分解斜視図である。
【図１０】本考案に係る変換プラグを有する方向転換式ＡＣアダプタの第２実施例において、プラグが本体に装着された状態の断面図である。
【図１１Ａ】本考案に係る変換プラグを有する方向転換式ＡＣアダプタの平面図である。
【図１１Ｂ】本考案に係る変換プラグを有する方向転換式ＡＣアダプタの平面図である。
【考案を実施するための形態】
【００１６】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【００１７】
図１は本考案に係る変換プラグを有する方向転換式ＡＣアダプタの第１実施例を示す斜視図であり、図２は本考案に係る変換プラグを有する方向転換式ＡＣアダプタの第１実施例を示す分解斜視図であり、図３は本考案に係る変換プラグを有する方向転換式ＡＣアダプタの第１実施例におけるハウジングの下面視斜視図であり、図４は本考案に係る変換プラグを有する方向転換式ＡＣアダプタの第１実施例におけるハウジングの平面図であり、図５は本考案に係る変換プラグを有する方向転換式ＡＣアダプタにおけるカバーの更なる実施例を示す斜視図であり、図６及び図７は本考案に係る変換プラグを有する方向転換式ＡＣアダプタにおいて、ハウジングを本体に装着する際の動作図であり、図８は本考案に係る変換プラグを有する方向転換式ＡＣアダプタにおいて、プラグが本体に装着された状態の断面図であり、図９は本考案に係る変換プラグを有する方向転換式ＡＣアダプタの第２実施例におけるハウジングの分解斜視図であり、図１０は本考案に係る変換プラグを有する方向転換式ＡＣアダプタの第２実施例において、プラグが本体に装着された状態の断面図であり、図１１Ａ及び図１１Ｂは本考案に係る変換プラグを有する方向転換式ＡＣアダプタの平面図である。
【００１８】
図１及び図２に示すように、本考案の第１実施例に係る変換プラグを有する方向転換式ＡＣアダプタは、本体（１０）とプラグ（Ｐ）とからなる。その内、本体（１０）の内部には、中空に形成された電子部品（図示せず）が設置され、該本体（１０）の上面に取り付け台（１０１）が突設されると共に、該取り付け台（１０１）の上面に環状収容空間（１１）と、該環状収容空間（１１）と連通する４つの摺動溝（１２）が凹設される。
更に、該環状収容空間（１１）に、本体（１０）内の電子部品と電気接続する２つの導電端子（１４）が設置され、該４つの摺動溝（１２）が環状収容空間（１１）の周縁に位置すると共に、側壁の下部に係合凹溝（１３）が凹設される。
また、前記本体（１０）に、該本体（１０）から取り付け台（１０１）における環状収容空間（１１）内まで延伸すると共に、該環状収容空間（１１）内から本体（１０）まで延伸するスリット（１０２）によって解除プレート（１５）が構成される。
該解除プレート（１５）の自由端は、環状収容空間（１１）内に位置すると共に、該自由端に、上面が環状収容空間（１１）の底面より高度に位置する係合ブロック（１５１）が突設される。
【００１９】
図３及び図４に示すように、プラグ（Ｐ）は、ハウジング（２０）と、カバー（３０）とを有する。
その内、ハウジング（２０）は、その上面に上部容室（２０１）が凹設されると共に、下面に本体（１０）の環状収容空間（１１）に設置される円柱部（２１）が突設される。
該円柱部（２１）には、上部容室（２０１）と連通する下部容室（２１１）が形成されると共に、該円柱部（２１）の円柱面に、解除プレート（１５）における係合ブロック（１５１）と係合可能な４つの係合溝（２１４）が円柱部（２１）の底面と連通するように凹設され、更に該円柱部（２１）の円柱面に、本体（１０）における摺動溝（１２）及び係合凹溝（１３）と対応する４つの係合突起（２１３）が突設される。
また、前記下部容室（２１１）の底面に、前記本体（１０）における導電端子（１４）を挿通するための弧状穴（２１２）が穿設されると共に、弧状を呈する４つの受け板（２１１１）が突設される。
それら受け板（２１１１）はそれぞれ、該弧状穴（２１２）の一端に隣接し、前記上部容室（２０１）の底面に２つの中間導電端子（２２）が設置される。
該各中間導電端子（２２）は夫々、下部通孔（２２１１）が形成される耳部（２２１）を有すると共に、下部容室（２１１）まで延伸する２つの接触プレート（２２２）を有する。それら接触プレート（２２２）は夫々、対応する弧状穴（２１２）の上方に位置し、且つ該受け板（２１１１）に隣接するように設けられる。
【００２０】
前記カバー（３０）には少なくとも２つのピン（３１）が設置されている。
該各ピン（３１）における上部容室（２０１）側の一端に上部通孔（３１１）が形成されると共に、該上部通孔（３１１）と中間導電端子（２２）における下部通孔（２２１１）との間に導電部材が設置される。これによりピン（３１）が、対応する中間導電端子（２２）と電気的に接続される。
カバー（３０）が前記上部容室（２０１）を封止するようにハウジング（２０）に覆設される。
尚、図５に示すものは、カバー（３０Ａ）に３つのピン（３１Ａ）が設置される実施例である。
【００２１】
図６乃至図８に示すように、プラグ（Ｐ）を本体（１０）に装着する時は、先ず各係合突起（２１３）を、対応する摺動溝（１２）に嵌め込み、且つ導電端子（１４）が本体（１０）の底部における対向する２つの弧状穴（２１２）に挿通されるように、プラグ（Ｐ）における円柱体を本体（１０）における環状収容空間（１１）内に設置させる。
次に係合突起（２１３）を係合凹溝（１３）に係合すると共に、解除プレート（１５）における係合ブロック（１５１）を円柱部（２１）における係合溝（２１４）に係合し、更に導電端子（１４）が弧状穴（２１２）の一端に位置する接触プレート（２２２）に当接されるように、プラグ（Ｐ）を回転させればよい。
これにより、プラグ（Ｐ）が本体（１０）に対して回転不能に固着されると共に、プラグ（Ｐ）におけるピン（３１）が中間導電端子（２２）を介して導電端子（１４）に電気的に接続される。
また、導電端子（１４）により押し付けられた接触プレート（２２２）が隣接する受板（２１１１）に当接されるので、過剰に湾曲するのを防ぐことができる。
一方、前記プラグ（Ｐ）を取り外したい時には、前記解除プレート（１５）を押圧してプラグ（Ｐ）を逆方向に回転させればよい。
【００２２】
図９に示すように、本考案の第二実施例においては、プラグ（Ｐ）のハウジング（２０）における中間導電端子（２２Ａ）が、下部容室（２１１）に位置すると共に、隣接する２つの弧状穴（２１２）と重なる接触プレート（２２２Ａ）を有する。
更に、該中間導電端子（２２Ａ）における、接触プレート（２２２Ａ）と連結する位置にＵ字型を呈する少なくとも１つの弾性部（２２３Ａ）が設けられている。該弾性部（２２３Ａ）は、その両端が中間導電端子（２２Ａ）と接触プレート（２２２Ａ）とに夫々接続されている。
これによって接触プレート（２２２Ａ）が上下動可能となる。
また、前記２つの接触プレート（２２２Ａ）の接触を防止するために、下部容室（２１１）の底面における、２つの接触プレート（２２２Ａ）の間に隔離板（２１１２）が突設される。
また、図１０に示すように、本実施例においては、プラグ（Ｐ）を本体（１０）に取り付けた時、本体（１０）における２つの導電端子（１４）の先端が夫々接触プレート（２２２Ａ）に当接するので、導電端子（１４）がピン（３１）と中間導電端子（２２Ａ）に電気接続される。
【００２３】
このように本考案においては、プラグ（Ｐ）が単一部品に形成されるので、コンセントの規格に応じて、対応するプラグ（Ｐ）に変更することができる。
また、図１１Ａ及び１１Ｂに示すように、プラグ（Ｐ）を本体（１０）に取り付ける時は、係合突起（２１３）を異なる摺動溝（１２）にはめ込めば、ピン（３１）の本体（１０）に対する位置も変わるので、使用時に本体（１０）を他のプラグ（Ｐ）の邪魔とならないように位置を変更させることができる。
【符号の説明】
【００２４】
１０            本体
１０１          取り付け台
１０２          スリット
１１            環状収容空間
１２            摺動溝
１３            係合凹溝
１４            導電端子
１５            解除プレート
１５１          係合ブロック
Ｐ              プラグ
２０            ハウジング
２０１          上部容室
２１            円柱部
２１１          下部容室
２１１１        受け板
２１１２        隔離板
２１２          弧状穴
２１３          係合突起
２１４          係合溝
２２、２２Ａ    中間導電部材
２２１          耳部
２２１１        下部通孔
２２２、２２２Ａ  接触プレート
２２３Ａ        弾性部
３０、３０Ａ    カバー
３１、３１Ａ    ピン
３１１          上部通孔
【図１】
0003157620.tif 000003
【図２】
0003157620.tif 000004
【図３】
0003157620.tif 000005
【図４】
0003157620.tif 000006
【図５】
0003157620.tif 000007
【図６】
0003157620.tif 000008
【図７】
0003157620.tif 000009
【図８】
0003157620.tif 000010
【図９】
0003157620.tif 000011
【図１０】
0003157620.tif 000012
【図１１Ａ】
0003157620.tif 000013
【図１１Ｂ】
0003157620.tif 000014